(57)【要約】【課題】  電磁石を効果的に配置して局部的に磁気照射することができる磁気治療装置を提供すること。【解決手段】  磁気治療装置は、人体を横臥させるための寝台と、寝台に横臥する人体に対して磁気を照射するための複数の電磁石とを備え、複数の電磁石は、主として頭部領域に対する磁気照射を行うための頭部電磁石群と、主として胴部領域に対する磁気照射を行うための胴部電磁石群と、主として脚部領域に対する磁気照射を行うための脚部電磁石群とを含んでいる。頭部電磁石群は、対をなす２個の磁極をそれぞれ有する３個の電磁石として、第１の電磁石と第２の電磁石と第３の電磁石とを含んでおり、各電磁石は、寝台に仰向けに横臥する人体の後頸部と後頭部と両側頭部と頭頂部とに対向する位置に、それぞれ磁極が位置するように寝台に装着されている。【選択図】  図１
2005230284.tif 000002
【特許請求の範囲】
【請求項１】
人体を横臥させるための寝台と、寝台に横臥する人体に対して磁気を照射するための複数の電磁石とを備え、
前記複数の電磁石は、
主として頭部領域に対する磁気照射を行うための頭部電磁石群と、主として胴部領域に対する磁気照射を行うための胴部電磁石群と、主として脚部領域に対する磁気照射を行うための脚部電磁石群とを含んでおり、
頭部電磁石群は、対をなす２個の磁極をそれぞれ有する３個の電磁石として、第１の電磁石と第２の電磁石と第３の電磁石とを含んでおり、
第１の電磁石は、その第１の磁極が寝台に仰向けに横臥する人体の後頸部と対向する位置に、第２の磁極が寝台に仰向けに横臥する人体の後頭部と対向する位置に、それぞれ位置するようにして、寝台に装着されており、
第２の電磁石は、その第１の磁極が寝台に横臥する人体の一方の側の側頭部と対向する位置に、第２の磁極が寝台に横臥する人体の他方の側の側頭部と対向する位置に、それぞれ位置するようにして、寝台に装着されており、さらに
第３の電磁石は、その第１の磁極が寝台に横臥する人体の頭頂部と対向する位置に、第２の磁極が寝台に仰向けに横臥する人体の額部と対向する位置に、それぞれ位置するようにして、寝台に装着されている、ことを特徴とする磁気治療装置。
【請求項２】
胴部電磁石群は、寝台に仰向けに横臥する人体の下面に磁気照射するための下面側胴部電磁石群と、寝台に横臥する人体の上面に磁気照射するための上面側胴部電磁石群とを含んでおり、
下面側胴部電磁石群は、対をなす２個の磁極をそれぞれ有する複数個の電磁石を含んでおり、かつそれら複数の電磁石は対をなす２個の磁極が背骨の中心線を挟んで対称的な位置にそれぞれ位置するようにして、背骨の中心線に沿って寝台に並列して埋設装着されており、
上面側胴部電磁石群は、対をなす２個の磁極をそれぞれ有する１個又は２個以上の電磁石を含んでおり、それらの電磁石はそれぞれ対をなす２個の磁極を下に向けた状態で、寝台に装着された支持機構を介して吊り下げ支持されており、
かつ支持機構が、
寝台の側部に立設された支柱と、支柱の上端部に水平面内で旋回可能に軸支された旋回アームと、旋回アームの先端にバネを介して垂下された吊り下げロッドとを含んでいる、
ことを特徴とする請求項１に記載の磁気治療装置。
【請求項３】
脚部電磁石群は、対をなす２個の磁極をそれぞれ有する３個の電磁石として、第１の電磁石と第２の電磁石と第３の電磁石とを含んでおり、
第１の電磁石は、その第１のおよび第２の磁極が寝台に横臥する人体の股関節と対向する位置に、それぞれ位置するようにして、寝台に装着されており、
第２の電磁石は、その第１の磁極が寝台に横臥する人体の一方の側の膝関節部と対向する位置に、第２の磁極が寝台に横臥する人体の他方の側の膝関節部と対向する位置に、それぞれ位置するようにして、寝台に装着されており、さらに
第３の電磁石は、その第１および第２の磁極が寝台に横臥する人体の足裏と対向する位置に、それぞれ位置するようにして、寝台に装着されている、ことを特徴とする請求項１に記載の磁気治療装置。
【請求項４】
胴部電磁石群は、寝台に仰向けに横臥する人体の下面に磁気照射するための下面側胴部電磁石群と、寝台に横臥する人体の上面に磁気照射するための上面側胴部電磁石群とを含んでおり、
下面側胴部電磁石群は、対をなす２個の磁極をそれぞれ有する複数個の電磁石を含んでおり、かつそれら複数の電磁石は対をなす２個の磁極が背骨の中心線を挟んで対称的な位置にそれぞれ位置するようにして、背骨の中心線に沿って寝台に並列して埋設装着されており、
上面側胴部電磁石群は、対をなす２個の磁極をそれぞれ有する１個又は２個以上の電磁石を含んでおり、それらの電磁石はそれぞれ対をなす２個の磁極を下に向けた状態で、寝台に装着された支持機構を介して吊り下げ支持されており、
かつ支持機構が、
寝台の側部に立設された支柱と、支柱の上端部に水平面内で旋回可能に軸支された旋回アームと、旋回アームの先端にバネを介して垂下された吊り下げロッドとを含んでおり、
脚部電磁石群は、対をなす２個の磁極をそれぞれ有する３個の電磁石として、第１の電磁石と第２の電磁石と第３の電磁石とを含んでおり、
第１の電磁石は、その第１のおよび第２の磁極が寝台に横臥する人体の股関節と対向する位置に、それぞれ位置するようにして、寝台に装着されており、
第２の電磁石は、その第１の磁極が寝台に横臥する人体の一方の側の膝関節部と対向する位置に、第２の磁極が寝台に横臥する人体の他方の側の膝関節部と対向する位置に、それぞれ位置するようにして、寝台に装着されており、さらに
第３の電磁石は、その第１および第２の磁極が寝台に横臥する人体の足裏と対向する位置に、それぞれ位置するようにして、寝台に装着されている、ことを特徴とする請求項１に記載の磁気治療装置。
【請求項５】
人体を横臥させるための寝台と、寝台に横臥する人体に対して磁気を照射するための複数の電磁石とを備え、
前記複数の電磁石は、
主として頭部領域に対する磁気照射を行うための頭部電磁石群と、主として胴部領域に対する磁気照射を行うための胴部電磁石群と、主として脚部領域に対する磁気照射を行うための脚部電磁石群とを含んでおり、
胴部電磁石群は、寝台に仰向けに横臥する人体の下面に磁気照射するための下面側胴部電磁石群と、寝台に横臥する人体の上面に磁気照射するための上面側胴部電磁石群とを含んでおり、
下面側胴部電磁石群は、対をなす２個の磁極をそれぞれ有する複数個の電磁石を含んでおり、かつそれら複数の電磁石は対をなす２個の磁極が背骨の中心線を挟んで対称的な位置にそれぞれ位置するようにして、背骨の中心線に沿って寝台に並列して埋設装着されており、
上面側胴部電磁石群は、対をなす２個の磁極をそれぞれ有する１個又は２個以上の電磁石を含んでおり、それらの電磁石はそれぞれ対をなす２個の磁極を下に向けた状態で、寝台に装着された支持機構を介して吊り下げ支持されており、
かつ支持機構が、
寝台の側部に立設された支柱と、支柱の上端部に水平面内で旋回可能に軸支された旋回アームと、旋回アームの先端にバネを介して垂下された吊り下げロッドとを含んでいる、
ことを特徴とする磁気治療装置。
【請求項６】
下面側胴部電磁石群を構成する電磁石は、人体の胴体背面部に磁極を向け、その磁極が互いに水平となるように背骨の中心線に沿って配設され、その配設間隔が、配設方向の磁極幅の１〜１．２倍であることを特徴とする請求項５に記載の磁気治療装置。
【請求項７】
人体を横臥させるための寝台と、寝台に横臥する人体に対して磁気を照射するための複数の電磁石とを備え、
前記複数の電磁石は、
主として頭部領域に対する磁気照射を行うための頭部電磁石群と、主として胴部領域に対する磁気照射を行うための胴部電磁石群と、主として脚部領域に対する磁気照射を行うための脚部電磁石群とを含んでおり、
脚部電磁石群は、対をなす２個の磁極をそれぞれ有する３個の電磁石として、第１の電磁石と第２の電磁石と第３の電磁石とを含んでおり、
第１の電磁石は、その第１のおよび第２の磁極が寝台に横臥する人体の股関節と対向する位置に、それぞれ位置するようにして、寝台に装着されており、
第２の電磁石は、その第１の磁極が寝台に横臥する人体の一方の側の膝関節部と対向する位置に、第２の磁極が寝台に横臥する人体の他方の側の膝関節部と対向する位置に、それぞれ位置するようにして、寝台に装着されており、さらに
第３の電磁石は、その第１および第２の磁極が寝台に横臥する人体の足裏と対向する位置に、それぞれ位置するようにして、寝台に装着されている、ことを特徴とする磁気治療装置。
【請求項８】
寝台が、脚部支持基台と、脚部支持基台の上に配置されて、横臥される人体の身長に沿って水平方向に可動する第１可動台と、を有し、
脚部電磁石群の第１の電磁石と、第２の電磁石と、第３の電磁石とが第１可動台の上に装着されている、ことを特徴とする請求項７に記載の磁気治療装置。
【請求項９】
第１可動台の上に配置されて、横臥される人体の身長に沿って水平方向に可動する第２可動台を有し、
脚部電磁石群の第１の電磁石と、第２の電磁石とが第１可動台の上に装着され、第３の電磁石が第２可動台の上に装着されている、ことを特徴とする請求項８に記載の磁気治療装置。
【発明の詳細な説明】
【技術分野】
【０００１】
この発明は、横臥した人体に磁気を照射することにより治療効果を奏する磁気治療装置に関する。
【背景技術】
【０００２】
当業者によく知られているように、磁気を利用した磁気治療装置が種々提案されている。従来の磁気治療装置は、電磁石が敷設された寝台と、寝台に横臥した人体を上方から覆うべく内部に電磁石が敷設された上部構造体とを備えている（例えば特許文献１参照）。
【０００３】
この従来の磁気治療装置に配置される電磁石は、コの字状の成層鉄心に巻線を巻いたものであり、巻線に電流を通電したときに、成層鉄心の脚部先端から交番磁界が発生する。この電磁石はケース体に収納され、複数のケース体を回動自在に直状に連結されたベルト型磁気治療具を構成している。そして、このベルト型治療具が寝台に敷設されると共に、上部構造体の内側に固定されている。
【特許文献１】特開平７−１９４７１４号公報
【発明の開示】
【発明が解決しようとする課題】
【０００４】
しかしながら、従来の磁気治療装置は、電磁石をケース体に収納して、直状に連結したものを敷き詰める構成なので、電磁石の効果的な配置が考慮されておらず、人体の局部的に磁気照射を行いたい部位に、ケース体に配置された電磁石の磁極を向けることが困難であった。
【０００５】
また、寝台に横臥した人体に上部構造体を覆いかぶせる前の使用準備段階では、上部構造体を寝台から上方に大きく移動させておかなければならず、装置の設置領域がかさばることから、一般家庭で使用することができない、などといった問題も指摘されている。
【０００６】
この発明は、このような従来の問題点に着目して成されたものであり、その目的とするところは、電磁石を効果的に配置して人体に局部的に磁気照射することができる磁気治療装置を提供することにある。
【０００７】
また、この発明の他の目的とするところは、装置の設置自由度が向上したコンパクトな磁気治療装置を提供することにある。
【０００８】
この発明のさらに他の目的並びに作用効果については、明細書の以下の記述を参照することにより、当業者であれば容易に理解されるであろう。
【課題を解決するための手段】
【０００９】
本発明の磁気治療装置は、人体を横臥させるための寝台と、寝台に横臥する人体に対して磁気を照射するための複数の電磁石とを備え、前記複数の電磁石は、主として頭部領域に対する磁気照射を行うための頭部電磁石群と、主として胴部領域に対する磁気照射を行うための胴部電磁石群と、主として脚部領域に対する磁気照射を行うための脚部電磁石群とを含んでいることを前提としている。
【００１０】
この磁気治療装置の頭部電磁石群は、対をなす２個の磁極をそれぞれ有する３個の電磁石として、第１の電磁石と第２の電磁石と第３の電磁石とを含んでおり、第１の電磁石は、その第１の磁極が寝台に横臥する人体の後頸部と対向する位置に、第２の磁極が寝台に横臥する人体の後頭部と対向する位置に、それぞれ位置するようにして、寝台に装着されており、第２の電磁石は、その第１の磁極が寝台に横臥する人体の一方の側の側頭部と対向する位置に、第２の磁極が寝台に横臥する人体の他方の側の側頭部と対向する位置に、それぞれ位置するようにして、寝台に装着されており、さらに、第３の電磁石は、その第１の磁極が寝台に横臥する人体の頭頂部と対向する位置に、第２の磁極が寝台に横臥する人体の額部と対向する位置に、それぞれ位置するようにして、寝台に装着されている。このような構成によれば、人体の頭部の頭頂部、後頭部及び後頸部、両側頭部および額部の５方向に磁気照射できるので、人体の頭部に均質な磁気雰囲気を作ることができる。
【００１１】
本発明の実施形態においては、胴部電磁石群は、寝台に仰向けに横臥する人体の下面に磁気照射するための下面側胴部電磁石群と、寝台に横臥する人体の上面に磁気照射するための上面側胴部電磁石群とを含んでおり、下面側胴部電磁石群は、対をなす２個の磁極をそれぞれ有する複数個の電磁石を含んでおり、かつそれら複数の電磁石は対をなす２個の磁極が背骨の中心線を挟んで対称的な位置にそれぞれ位置するようにして、背骨の中心線に沿って寝台に並列して埋設装着されており、上面側胴部電磁石群は、対をなす２個の磁極をそれぞれ有する１個又は２個以上の電磁石を含んでおり、それらの電磁石はそれぞれ対をなす２個の磁極を下に向けた状態で、寝台に装着された支持機構を介して吊り下げ支持されており、かつ支持機構が、寝台の側部に立設された支柱と、支柱の上端部に水平面内で旋回可能に軸支された旋回アームと、旋回アームの先端にバネを介して垂下された吊り下げロッドとを含んでいるように構成してもよい。
【００１２】
このような構成によれば、下面側胴部電磁石群が、背骨を中心とする人体の背面に効果的な磁気照射をすることができ、上面側胴部電磁石群が人体の胴部上面への磁気照射を補うので、人体の胴部に均質な磁気雰囲気を作ることができる。また、上面側胴部電磁石群は、支持機構を介して吊り下げ支持されて水平面内で旋回可能なので、使用者が台に乗り降りするための空間を確保し易くなる。従って、装置の上下方向の配置自由度を高め、配設領域を縮小したコンパクトな磁気治療装置を提供することができる。
【００１３】
本発明の実施形態においては、下面側胴部電磁石群を構成する電磁石は、人体の胴体背面部に磁極を向け、その磁極が互いに水平となるように背骨の中心線に沿って配設され、その配設間隔が、配設方向の磁極幅の１〜１．２倍であるように構成してもよい。
【００１４】
このような構成によれば、背骨の中心線に沿って配設された電磁石が作る磁界が、電磁石と電磁石との間でも弱まることなく、磁極面に対して平行な等磁位面を作り易くなる。従って、人体の胴部に均質な磁気照射をすることができるので、治療効果のすぐれた配置を実現することができる。
【００１５】
本発明の実施形態においては、脚部電磁石群は、対をなす２個の磁極をそれぞれ有する３個の電磁石として、第１の電磁石と第２の電磁石と第３の電磁石とを含んでおり、第１の電磁石は、その第１のおよび第２の磁極が寝台に横臥する人体の股関節と対向する位置に、それぞれ位置するようにして、寝台に装着されており、第２の電磁石は、その第１の磁極が寝台に横臥する人体の一方の側の膝関節部と対向する位置に、第２の磁極が寝台に横臥する人体の他方の側の膝関節部と対向する位置に、それぞれ位置するようにして、寝台に装着されており、さらに、第３の電磁石は、その第１および第２の磁極が寝台に横臥する人体の足裏と対向する位置に、それぞれ位置するようにして、寝台に装着されているようにしてもよい。このような構成によれば、人体の脚部の股関節部、両膝関節部、足裏部の４方向に磁気照射できるので、人体の脚部に均質な磁気雰囲気を作ることができる。
【００１６】
本発明の実施形態においては、寝台が、脚部支持基台と、脚部支持基台の上に配置されて、横臥される人体の身長に沿って水平方向に可動する第１可動台と、を有し、脚部電磁石群の第１の電磁石と、第２の電磁石と、第３の電磁石とが第１可動台の上に装着されているように構成してもよい。
【００１７】
このような構成によれば、第１可動台が人体の身長に沿って水平方向に可動であるので、第１可動台の上に装着された電磁石の磁極を人体脚部の所望の位置に移動させることができる。また、身長の差異による磁気照射位置のずれを解消することができる。
【００１８】
本発明の実施形態においては、第１可動台の上に配置されて、横臥される人体の身長に沿って水平方向に可動する第２可動台を有し、脚部電磁石群の第１の電磁石と、第２の電磁石とが第１可動台の上に装着され、第３の電磁石が第２可動台の上に装着されているように構成してもよい。
【００１９】
このような構成によれば、第１の可動台と第２の可動台とが独立に水平に可動であるので、第１可動台および第２可動台の上に装着された電磁石の磁極を人体脚部の最適位置に設定できる。また、身長の差異による磁気照射位置のずれを解消することができる。
【発明の効果】
【００２０】
以上の説明で明らかなように、本発明によれば、寝台に横臥する人体の所望の局部に効果的に磁気照射することができる。また、使用者が寝台に乗り降りするための空間を確保し易いという利点を有する。
【発明を実施するための最良の形態】
【００２１】
以下に、この発明の好適な実施の一形態を添付図面を参照しながら詳細に説明する。
【００２２】
本実施形態の磁気治療装置１は、図１に示されるように、頭部ユニット２と、胴体部ユニット３と、脚部ユニット４とを備えている。各ユニット２〜４は結合されて寝台を形成する。各ユニット２〜４は、木材などの絶縁物のケース内に、寝台に仰向けに横臥される人体に磁気を照射するための複数の電磁石を備えている。
【００２３】
頭部ユニット２には、主として頭部領域に対する磁気照射を行うための頭部電磁石群が、胴体部ユニット３には、主として胴部領域に対する磁気照射を行うための胴部電磁石群が、脚部ユニット４には、主として脚部領域に対する磁気照射を行うための脚部電磁石群がそれぞれ含まれている。
【００２４】
頭部ユニット２は、図１に示されるように、頭部支持基台５上に、直方体形状の右側頭部ブロック６と、左側頭部ブロック７と、頭頂部ブロック８と、額部ブロック９とを備えている。
【００２５】
頭部電磁石群は、図２に示されるように、対をなす２個の磁極をそれぞれ有する３個の電磁石として、第１の電磁石１１と、第２の電磁石１２と、第３の電磁石１３とを含んでいる。
【００２６】
第１の電磁石１１は、頭部支持基台５に内蔵され、コの字状のコアを有している。コアは、ケイ素鋼板の小片を積層してなる成層鉄心である。コアは、基部１４の両端に垂直に脚部１５，１６が形成されると共に、脚部１５，１６の先端にそれぞれ磁極板１７，１８が形成されている。コアの脚部１５，１６には、それぞれ巻線１９，２０が巻かれている。第１の電磁石１１は、磁極板１７，１８が同一水平面に配置された磁極並置型電磁石である。磁極板１７は、寝台に仰向けに横臥する人体の後頸部と対向する位置に、磁極板１８は、寝台に仰向けに横臥する人体の後頭部と対向する位置に、それぞれ位置するようにして、頭部支持基台５に装着されている。第１の電磁石１１は、上方に横臥される人体の後頸部と後頭部に、それぞれ磁気照射することができる。
【００２７】
第２の電磁石１２は、ケイ素鋼板の小片を積層してなる成層鉄心のコアを有している。コアは、基部２１の両端に垂直にＬ字上の脚部２２，２３が形成され、Ｌ字状の脚部２２，２３の先端にそれぞれ磁極板２４，２５が形成されている。第２の電磁石１２は、磁極板２４，２５が、図２に示されるように互いに対向して配置された磁極対向型電磁石である。コアの脚部２２，２３には、それぞれ巻線２６，２７が巻かれている。第２の電磁石１２は、頭部ユニット２内で、磁極板が人体の幅方向に沿って所定間隔を空けて配置され、一方の磁極板２５が右側頭部ブロック６に、他方の磁極板２４が左側頭部ブロック７に内蔵されている。そのため、人体を横臥させて人体頭部を右側頭部ブロック６と左側頭部ブロック７とで挟んだ状態で、人体の両側頭部に磁極板２４，２５から磁気照射をすることができる。
【００２８】
第３の電磁石１３は、ケイ素鋼板の小片を積層してなる成層鉄心のコアを有している。コアは、図２に示されるように、基部が下側基部２８と上側基部２９とに上下に分割され、基部の上下両端に垂直に脚部３０，３１が形成されている。上側基部２９に連設された上方の脚部３０は、その内部から突出して下方にＬ字状に曲げられたＬ字脚部３２を有している。Ｌ字脚部３２には巻線３３が巻かれると共に、その先端に磁極板３４が下方を向いて形成されている。磁極板３４は、人体が仰向けに横臥されたときの額部に対向する位置に配置される。
【００２９】
下側基部２８に連設された下方の脚部３１には、巻線３５が巻かれると共に、その先端に磁極板３６が形成されており、磁極板３６は、人体が横臥されたときの頭頂部に対向する位置に配置されている。
【００３０】
第３の電磁石１３は、図２に示されるように、磁極板３４と磁極板３６とが直角をなす磁極直交型電磁石である。第３の電磁石１３は、頭頂部ブロック８と、額部ブロック９とにまたがって配設されており、頭頂部ブロック８には磁極板３６が、額部ブロック９には磁極板３４がそれぞれ内蔵されている。
【００３１】
第３の電磁石１３の上側基部２９は、下側基部２８を支軸に、図２示の矢印θで示されるように水平方向に回動自在に形成されている。換言すると、頭頂部ブロック８が支柱を形成し、この支柱を軸に額部ブロック９が把手３７を操作することにより水平方向に回動自在となっている（図１参照）。
【００３２】
再び、図２を参照して、第３の電磁石１３のＬ字脚部３２は、上方の脚部３０に対して、水平方向に、すなわち図２示の矢印Ｘの向きに伸縮させることができる。すなわち、額部ブロック９が、頭頂部ブロック８を支軸とした径方向（水平方向）に伸縮自在となっている（図１参照）
【００３３】
また、第３の電磁石１３のＬ字脚部３２には、垂直方向の長さを可変する機構が備えられている。このため、Ｌ字脚部３２に形成されている磁極板３４は、図２示の矢印Ｙの向き（鉛直方向）に可変させることができる。
【００３４】
次に、胴体部ユニット３は、図３に示されるように、胴体部支持基台４０に下面側胴部電磁石群が配設されており、下面側胴部電磁石群は、対をなす２個の磁極板をそれぞれ有する４個の電磁石４１〜４４を含んでいる。
【００３５】
電磁石４１はコの字状のコアを有している。コアは、ケイ素鋼板の小片を積層してなる成層鉄心である。コアは、先端に対をなす２つの磁極板４１ａ，４１ｂが形成された脚部の後端部同士を結ぶ基部４１ｃを備え、２つの脚部には、それぞれ巻線４１ｄ，４１ｅが巻かれている。電磁石４１は、磁極板４１ａ，４１ｂが同一水平面に配置された磁極並置型電磁石である。電磁石４２〜４４は、電磁石４１と同様に、対をなす第１の磁極板４２ａ〜４４ａおよび第２の磁極板４２ｂ〜４４ｂ、基部４２ｃ〜４４ｃ、第１の巻線４２ｄ〜４４ｄおよび第２の巻線４２ｅ〜４４ｅを備えた磁極並置型電磁石である。
【００３６】
電磁石４１は、磁極板４１ａ，４１ｂが、寝台に仰向けに横臥する人体の背骨の中心線を挟んで対称的な位置にそれぞれ位置するように、配置されている。磁極板４１ａ，４１ｂは、寝台に仰向けに横臥した人体の胴体背面部に対向するように配される。電磁石４２の磁極板４２ａ，４２ｂ、電磁石４３の磁極板４３ａ，４３、電磁石４４の磁極板４４ａ，４４ｂも電磁石４１と同様に配置されている。
４個の電磁石４１〜４４は、それぞれの磁極板が互いに水平となるように、背骨の中心線に沿って寝台に並列して埋設装着されている。従って、寝台に仰向けに人体が横臥されたときに、４個の電磁石４１〜４４から人体の胴体背面部に効果的に磁気照射することができる。
【００３７】
本願発明者が、４個の電磁石４１〜４４の配設間隔をできるだけ拡げて効果的な磁気照射を実現する配置を種々検討した結果、以下の知見が得られた。ここで、図４示のように、電磁石４１〜４４の２つの磁極板の間の距離をＧ、磁極板の長さをＬ、磁極板の幅をＷ、隣接した磁極板間の距離（並設された電磁石４１〜４４の間隔）をＰとする。このとき、並設された電磁石４１〜４４の間隔をできるだけ拡げて治療に効果がある磁束密度の分布を得るための好適な配置条件は、隣接磁極間距離Ｐが、磁極幅Ｗの１〜１．２倍であることである。従って、本実施形態の胴体部ユニット３は、電磁石４１〜４４がこの条件で配置される。
【００３８】
また、胴体部ユニット３の電磁石４１〜４４の配置は、人体の背骨を中心としたツボの配置に適合するように、隣接磁極板間距離Ｐ、磁極板幅Ｗ、磁極板間距離Ｇ、および磁極板長さＬを適宜定めることが効果的である。上記配置条件と合わせた具体的な数値としては、例えば、隣接磁極板間距離Ｐ＝８０〜９０ｍｍ、磁極板幅Ｗ＝８０ｍｍ、磁極板間距離Ｇ＝７０ｍｍ、磁極板長さＬ＝８０ｍｍとすると効果的である。
【００３９】
この条件で電磁石４１〜４４を配設したときの磁界の分布が図５に示されている。図５の横軸は、胴体部支持基台４０の頭部ユニット２側端部を原点に、９０ｍｍの位置を中心に電磁石４１を、２５０ｍｍの位置を中心に電磁石４２を、４２０ｍｍの位置を中心に電磁石４３を、５８０ｍｍの位置を中心に電磁石４４を配置した様子を表している。すなわち、電磁石４１と電磁石４２の間の距離Ｐは８０ｍｍ、電磁石４２と電磁石４３の間の距離Ｐは９０ｍｍ、電磁石４３と電磁石４４の間の距離Ｐは８０ｍｍとなっている。図５の縦軸は、４つの電磁石４１〜４４のそれぞれの２つの磁極板の中間点の垂直上方の距離を表している。寝台の長手方向（人体の身長方向）に沿って走査したときの磁界の分布は、図示されるように、寝台から高さ１００ｍｍの位置で寝台とほぼ平行な３０Ｇの等磁位線が得られる。また、寝台から１８０〜２００ｍｍの高さの位置で１０Ｇの磁束密度が得られる。このため、寝台に布団やマットレスなどを敷いて使用したとしても、寝台に横臥した人体に効果的な磁気照射を行うことができる。
【００４０】
この胴体部ユニット３には、図６に示されるように、胴体部支持基台４０の側部に、上面側胴部電磁石群を支持する支持機構が２つ備え付けられている。上面側胴部電磁石群は、横臥した人体の胴体部を上方から覆うことが可能な胸部照射ブロック４５（磁気照射ブロック）と腹部照射ブロック４６（磁気照射ブロック）とに内蔵された電磁石より構成される。胸部照射ブロック４５は頭部ユニット２寄りに、腹部照射ブロック４６は脚部ユニット４寄りに配設されており、胸部照射ブロック４５と、腹部照射ブロック４６とは同一の構成である。
【００４１】
支持機構は、胴体部支持基台４０の側部に立設された支柱４７と、支柱４７の上端部に軸支され、水平面内で旋回可能な第１アーム４８と、第１アーム４８の先端部に軸支され、水平面内で旋回可能な第２アーム４９と、第２アーム４９の先端に、スプリングケース５０内の圧縮バネ５１を介して垂下された吊り下げロッド５２とから構成されている。２つの支持基講は、それぞれ吊り下げロッド５２により、胸部照射ブロック４５と、腹部照射ブロック４６とを吊り下げ支持している。
【００４２】
第１アーム４８および第２アーム４９の旋回機構の詳細が図７に示されている。第１アーム４８の一端から支柱４７内部に旋回用のシャフト５３が貫通して設けられている。第１アーム４８の一端には、シャフト径と同じ径の貫通孔を有する固定部材５４が配置されている。シャフト５３は、固定部材５４の貫通孔に挿入されてネジ５５，５６により固定部材５４に固定されている。支柱４７内部には、シャフト径より僅かに大きな径の貫通孔を有する軸受部材５７，５８が固定されており、シャフト５３は軸受部材５７，５８の貫通孔に挿入されている。従って、第１アーム４８は支柱４７に対して旋回自在となっている。
【００４３】
図７に示されるように、第２アーム４９の一端から第１アーム４８の他端に旋回用のシャフト５９が貫通して設けられている。第２アーム４９の一端には、シャフト径と同じ径の貫通孔を有する固定部材６０が配置されている。シャフト５９は、固定部材６０の貫通孔に挿入されてネジ６１，６２により固定部材６０に固定されている。第１のアーム４８の他端には、シャフト径より僅かに大きな径の貫通孔を有する軸受部材６３が固定されており、シャフト５９は軸受部材６３の貫通孔に挿入されている。従って、第２アーム４９は第１アーム４８に対して旋回自在となっている。
【００４４】
スプリングケース５０と吊り下げロッド５２の詳細が図８に示されている。スプリングケース５０内には、吊り下げロッド５２が貫通した摺動部材６４および固定部材６５が備えられている。摺動部材６４は、吊り下げロッド５２の先端部に固定され、スプリングケース５０内を摺動する。固定部材６５はスプリングケース５０下端に固定され、内部を貫通した吊り下げロッド５２が摺動できるように構成されている。吊り下げロッド５２の周囲には、摺動部材６４と固定部材６５との間に挟まれて圧縮バネ５１が配置されている。吊り下げロッド５２には、スプリングケース５０内の位置決めのために鉛直方向に溝部６６が設けられている。そして、吊り下げロッド５２を上下動させたときに、所望の位置で固定できるように、固定部材６５の位置で溝部６６に嵌合する留めねじ６７が設けられている。
【００４５】
吊り下げロッド５２の下端には、回転用固定軸６８が設けられている。回転用固定軸６８に軸支された回転用部材６９は、胸部照射ブロック４５および腹部照射ブロック４６に接続されている。そのため、胸部照射ブロック４５および腹部照射ブロック４６は、吊り下げロッド５２に対して水平方向に回転自在となっている。
【００４６】
胸部照射ブロック４５および腹部照射ブロック４６は、使用前には、圧縮バネ５１により上方に付勢されており、使用者が例えば胸部照射ブロック４５を下方に引くと圧縮バネ５１が圧縮し、胸部照射ブロック４５は下方に移動するが、使用者が胸部照射ブロック４５を手放すと圧縮バネの弾性により胸部照射ブロック４５は元の位置に付勢される。そのため使用者は留めねじ６７を締結することにより胸部照射ブロック４５を所望の位置に固定する。
【００４７】
腹部照射ブロック４６に内蔵された電磁石７０は、コの字状のコアを有している。コアは、ケイ素鋼板の小片を積層してなる成層鉄心である。コアは、先端に対をなす２つの磁極板７０ａ，７０ｂが形成された脚部の後端部同士を結ぶ基部７０ｃを備え、２つの脚部には、それぞれ巻線７０ｄ，７０ｅが巻かれている。電磁石７０は、磁極板７０ａ，７０ｂが同一水平面に配置された磁極並置型電磁石である。電磁石７０は、磁極板７０ａ，７０ｂを寝台に対向させるように下方に向けた状態、すなわち、人体の腹部に対向するように配置されている。胸部照射ブロック４５に内蔵された電磁石（図示せず）は、電磁石７０と同型の磁極並置型電磁石であり、２つの磁極板を寝台に対向させるように下方に向けた状態、すなわち、人体の胸部に対向するように配置されている。
【００４８】
次に、脚部ユニット４は、図９および図１０に示すように、脚部支持基台７１と、脚部支持基台７１の上に載置された第１可動台７２と、第１可動台７２の上に載置された第２可動台５６とから構成されている。第１可動台７２と第２可動台７３とには、脚部電磁石群が配設されている。
【００４９】
脚部支持基台７１には、不図示の電源部に接続されて電源スイッチを備えた制御盤７４が設けられている。なお、電源スイッチは電気コード７５（図１参照）を介して操作器７６により操作可能であり、使用者が寝台に横臥した状態でも手元で操作することができる。
【００５０】
第１可動台７２及び第２可動台７３は、底部にキャスタ７７が配設され長手方向（人体の身長方向）水平に可動できる。第１可動台７２は、それぞれ電磁石の磁極が内蔵された直方体形状の腰部ブロック７８と、右側膝部ブロック７９と、左側膝部ブロック８０とを備えている。また、第２可動台７３は、電磁石が内蔵された直方体形状の足裏ブロック８１を備えている。
【００５１】
腰部ブロック７８は、第１可動台７２の胴体部ユニット４寄り端部に配置され、電磁石８２を内蔵している。電磁石８２は、コの字状のコアを有している。コアは、ケイ素鋼板の小片を積層してなる成層鉄心である。コアは、先端に対をなす２つの磁極板８２ａ，８２ｂが形成された脚部の後端部同士を結ぶ基部８２ｃを備え、２つの脚部には、それぞれ巻線８２ｄ，８２ｅが巻かれている。電磁石８２は、磁極板８２ａ，８２ｂが同一水平面に配置された磁極並置型電磁石である。電磁石８２は、磁極板８２ａ，８２ｂが上方を向いて、上方に横臥される人体の幅方向に沿って配列している。このため、寝台に仰向けに人体を横臥したときに、人体の股関節部に磁気照射することができる。
【００５２】
また、右側膝部ブロック７９と、左側膝部ブロック８０は、寝台に横臥する人体の幅方向に所定間隔を有して配設されている。右側膝部ブロック７９と、左側膝部ブロック８０とには、対向する２つの磁極板を有する電磁石８３が配設されている。この電磁石８３は、ケイ素鋼板の小片を積層してなる成層鉄心のコアを有している。コアは、基部８３ｃの両端に垂直にＬ字上の脚部が形成され、Ｌ字状の脚部の先端にそれぞれ磁極板８３ａ，８３ｂが形成されている。電磁石８３は、磁極板８３ａ，８３ｂが、図１０に示されるように互いに対向して配置された磁極対向型電磁石である。コアの脚部には、それぞれ巻線８３ｄ，８３ｅが巻かれている。右側膝部ブロック７９に巻線８３ｄと磁極板８３ｂとが内蔵され、左側膝部ブロック８０に巻線８３ｅと磁極板８３ａとが内蔵されている。そして、人体の幅方向に沿って２つの磁極板８３ａ，８３ｂが配列し、２つの磁極板８３ａ，８３ｂが間に人体の両脚側部を挟むようにして水平方向を向いている。このため、寝台に人体を横臥したときに、人体の両膝関節部に磁気照射することができる。
【００５３】
また、足裏ブロック８１は、第２可動台７３の寝台先端部寄りに配置され、電磁石８４を内蔵している。電磁石８４は、コの字状のコアを有している。コアは、ケイ素鋼板の小片を積層してなる成層鉄心である。コアは、先端に対をなす２つの磁極板８４ａ，８４ｂが形成された脚部の後端部同士を結ぶ基部８４ｃを備え、２つの脚部には、それぞれ巻線８４ｄ，８４ｅが巻かれている。電磁石８４は、磁極板８４ａ，８４ｂが同一水平面に配置された磁極並置型電磁石である。この電磁石８４は、磁極板８４ａ，８４ｂが水平方向人体側を向いて、人体の幅方向に沿って配列している。このため、寝台に人体を横臥したときに、人体の足裏に磁気照射することができる。以上が本実施形態の磁気治療装置１の構成である。
【００５４】
上記構成の磁気治療装置１は、所定の治療場所に運び込んだ頭部ユニット２と、胴体部ユニット３と、脚部ユニット４とを連結して寝台を組み立てて使用される。
【００５５】
磁気治療装置１の使用にあたっては、予め、頭部ユニット２の額部ブロック９が適切な位置に配置できるように調整しておく。すなわち、額部ブロック９の磁極板３４が人体の頭部を覆って額、眼、鼻など顔の適切な場所に対向するように、額部ブロック９の水平方向および鉛直方向の位置を調節する。この際、額部ブロック９は押し引きすることにより、水平方向に摺動するので、使用者は寝台に横臥した状態で額部ブロック９の水平位置を決めることができる。なお、鉛直方向の調節は調節ねじを回すことにより行う。
【００５６】
額部ブロック９の配設位置が決定したならば、額部ブロック９を水平方向に回動して、額部ブロック９を人体の外側に一旦退ける。そして、使用者が寝台に横臥した状態の位置に適合させて脚部ユニット４の第１可動台７２を水平方向に摺動させて、第１可動台７２上の腰部ブロック７８と、右側膝部ブロック７９と、左側膝部ブロック８０とを適所に配設する。さらに、第２可動台７３を水平方向に摺動させて、足裏ブロック８１を適所に配設する。このように、磁気治療装置１は、第１可動台７２及び第２可動台７３を移動させることにより、使用者の身長の差異によって生じる磁気照射位置のずれを解消することができる。
【００５７】
脚部ユニット４の第１可動台７２及び第２可動台７３の配置が決定したならば、胴体部ユニット３に備え付けられている胸部照射ブロック４５と、腹部照射ブロック４６の位置を調節する。具体的には、胸部照射ブロック４５と腹部照射ブロック４６とに内蔵された電磁石の磁極板が人体の胴体部上方を覆って胸部、腹部の適切な場所に対向するように、胸部照射ブロック４５と腹部照射ブロック４６の水平方向および鉛直方向の位置を調節する。なお、使用者は寝台に横臥した状態で胸部照射ブロック４５と腹部照射ブロック４６の位置を調整することができる。すなわち、横臥した使用者が胸部照射ブロック４５と腹部照射ブロック４６を自分の側に引っ張り、吊り下げロッド５２を適切に伸長させた状態で留めねじ６７を締めて鉛直方向の位置を決めることができる。
【００５８】
胸部照射ブロック４５と腹部照射ブロック４６の配置が決定したならば、頭部ユニット２の額部ブロック９を旋回させて、横臥した人体の頭部上方に移動させる。この状態で手元の操作器７６を操作すると、磁気治療装置１の電源が入り、各ユニット２〜４に配置された電磁石の巻線に電流が流れ、磁極板から磁気が発生し、人体の各所が磁気雰囲気中に包含される。所定時間（例えば４０分間）通電されることにより治療を効果的に行うことができる。
【００５９】
上記実施形態によれば、使用者一人の操作で自らの人体を囲む磁気照射を行うことができる。そのため、操作介助者を必要とすることなく、身体の具合の悪い患者やお年寄りでも手軽に使用することができる。また、上記実施形態の磁気治療装置１は、頭部ユニット２と、胴体部ユニット３と、脚部ユニット４とに分割して移動することができ、治療に使用しないときにコンパクトに納めることができるので、設置場所も病院や各種治療室に限定されることなく一般家庭に配設できるなど実用的な効果を奏する。
【００６０】
上記実施形態では、不図示の電源部および制御盤７４を脚部ユニット４に配設するものとしたが、これに限定されることなく、他のユニットに配設するようにしてもよい。また、頭部ユニット２、胴体部ユニット３、脚部ユニット４のいずれか又はいずれか２つを組み合わせて使用するようにしてもよく、例えば胴体部ユニット３を２つ連結して使用するようにしてもよい。
【図面の簡単な説明】
【００６１】
【図１】磁気治療装置の外観斜視図である。
【図２】頭部ユニット装着の電磁石群の斜視図である。
【図３】胴体部ユニットの構成図である。
【図４】胴体部ユニット内蔵の電磁石群の斜視図である。
【図５】胴体部ユニット内蔵の電磁石間を結ぶ垂直面上の磁界分布特性曲線である。
【図６】胴体部ユニット備え付けの胸部、腹部照射ブロック及びその支持機構の外観斜視図である。
【図７】第１アームおよび第２アームの旋回機構の詳細図である。
【図８】スプリングケースおよび吊り下げロッドの詳細図である。
【図９】脚部ユニットの外観斜視図である。
【図１０】脚部ユニットの構成図である。
【符号の説明】
【００６２】
１  磁気治療装置
２  頭部ユニット
３  胴体部ユニット
４  脚部ユニット
５  頭部支持基台
６  右側頭部ブロック
７  左側頭部ブロック
８  頭頂部ブロック
９  額部ブロック
１１  第１の電磁石
１２  第２の電磁石
１３  第３の電磁石
１４  基部
１５，１６  脚部
１７，１８  磁極板
１９，２０  巻線
２１  基部
２２，２３  脚部
２４，２５  磁極板
２６，２７  巻線
２８  下側基部
２９  上側基部
３０，３１  脚部
３２  Ｌ字脚部
３３  巻線
３４  磁極板
３５  巻線
３６  磁極板
３７  把手
４０  胴体部支持基台
４１〜４４  電磁石
４５  胸部照射ブロック
４６  腹部照射ブロック
４７  支柱
４８  第１アーム
４９  第２アーム
５０  スプリングケース
５１  圧縮バネ
５２  吊り下げロッド
５３  シャフト
５４  固定部材
５５，５６  ネジ
５７，５８  軸受部材
５９  シャフト
６０  固定部材
６１，６２  ネジ
６３  軸受部材
６４  摺動部材
６５  固定部材
６６  溝部
６７  留めねじ
６８  回転用固定軸
６９  回転用部材
７０  電磁石
７１  脚部支持基台
７２  第１可動台
７３  第２可動台
７４  制御盤
７５  電気コード
７６  操作器
７７  キャスタ
７８  腰部ブロック
７９  右側膝部ブロック
８０  左側膝部ブロック
８１  足裏ブロック
８２，８３，８４  電磁石
【図１】
2005230284.tif 000003
【図２】
2005230284.tif 000004
【図３】
2005230284.tif 000005
【図４】
2005230284.tif 000006
【図５】
2005230284.tif 000007
【図６】
2005230284.tif 000008
【図７】
2005230284.tif 000009
【図８】
2005230284.tif 000010
【図９】
2005230284.tif 000011
【図１０】
2005230284.tif 000012